【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
ポリマー成分としてポリ乳酸、及び充填剤として少なくとも１種の炭酸カルシウム含有材料を含むポリマー組成物の配合前又は配合中の少なくとも１種の一置換コハク酸無水物の使用であって、
加工中のポリマーの分解を低減し、及び／又はＤＩＮ  ＥＮ  ＩＳＯ  １１３３−１：２０１１（手順Ａ、２．１６ｋｇ、２１０℃、顆粒）に従って測定された、そのような配合されたポリマー組成物のメルトフローレートを、少なくとも１種の一置換コハク酸無水物を用いずに同じ方法で処理された同じポリマー組成物を比較して、少なくとも１０％低下させるための使用。
【請求項２】
少なくとも１種の一置換コハク酸無水物が、置換基中にＣ２〜Ｃ３０、分岐基の場合はＣ３〜Ｃ３０の総炭素原子数を有する直鎖、分岐、脂肪族及び環状基から選択される基で一置換されたコハク酸無水物からなる、請求項１に記載の使用。
【請求項３】
少なくとも１種の一置換コハク酸無水物が、置換基中にＣ３〜Ｃ２５の総炭素原子数を有する直鎖、分岐、脂肪族及び環状基から選択される基で一置換されたコハク酸無水物からなる、請求項２に記載の使用。
【請求項４】
少なくとも１種の一置換コハク酸無水物が、少なくとも１種のアルキル一置換コハク酸無水物、及び／又は少なくとも１種のアルケニル一置換コハク酸無水物である、請求項１から３のいずれか一項に記載の使用。
【請求項５】
少なくとも１種のアルキル一置換コハク酸無水物が、エチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物及びそれらの混合物から選択される、及び／又は少なくとも１種のアルケニル一置換コハク酸無水物が、エテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物、及びそれらの混合物を含む群から選択される、請求項４に記載の使用。
【請求項６】
少なくとも１種の一置換コハク酸無水物が、少なくとも１種の一置換コハク酸無水物及び／又はその塩反応生成物が少なくとも１種の炭酸カルシウム含有材料の表面に存在するように、ポリマー組成物の配合前に使用される、請求項１から５のいずれか一項に記載の使用。
【請求項７】
少なくとも１種の一置換コハク酸無水物が、少なくとも１種の一置換コハク酸無水物を、混合下で、ポリマー成分としてポリ乳酸及び充填剤として少なくとも１種の炭酸カルシウム含有材料を含むポリマー組成物と接触させるように、ポリマー組成物の配合中に使用される、請求項１から６のいずれか一項に記載の使用。
【請求項８】
少なくとも１種の一置換コハク酸無水物及び／又はその塩反応生成物が、少なくとも１種の炭酸カルシウム含有充填材の総乾燥重量に基づいて、少なくとも０．１重量％の量でポリマー組成物中に存在する、請求項１から７のいずれか一項に記載の使用。
【請求項９】
少なくとも１種の一置換コハク酸無水物及び／又はその塩反応生成物が、少なくとも１種の炭酸カルシウム含有充填材の総乾燥重量に基づいて、０．１〜４．０重量％の量でポリマー組成物中に存在する、請求項８に記載の使用。
【請求項１０】
ポリマー成分がポリ乳酸のみからなる、請求項１から９のいずれか一項に記載の使用。
【請求項１１】
少なくとも１種の一置換コハク酸無水物及び／又はその塩反応生成物が、ポリマー成分の総重量に基づいて、少なくとも０．００５重量％の量でポリマー組成物中に存在する、請求項１から１０のいずれか一項に記載の使用。
【請求項１２】
少なくとも１種の一置換コハク酸無水物及び／又はその塩反応生成物が、ポリマー成分の総重量に基づいて、０．０１〜５．０重量％の量でポリマー組成物中に存在する、請求項１１に記載の使用。
【請求項１３】
炭酸カルシウム含有材料が、重質炭酸カルシウム、沈降炭酸カルシウム、及びそれらの混合物からなる群から選択される、請求項１から１２のいずれか一項に記載の使用。
【請求項１４】
重質炭酸カルシウムが、大理石、石灰石、ドロマイト及び／又はチョークから選択され、及び／又は、沈降炭酸カルシウムがバテライト、カルサイト及び／又はアラゴナイトからなる群から選択される、請求項１３に記載の使用。
【請求項１５】
炭酸カルシウム含有材料が、
ｉ）  ０．１μｍ〜１０μｍの範囲の重量メジアン粒径ｄ５０値、及び／又は
ｉｉ）  ≦１５μｍのトップカット（ｄ９８）、及び／又は
ｉｉｉ）  ＩＳＯ  ９２７７：２０１０に従って、窒素及びＢＥＴ法で測定された、０．５〜１５０ｍ２／ｇの比表面積（ＢＥＴ）、及び／又は
ｉｖ）  少なくとも１種の炭酸カルシウム含有材料の総乾燥重量に基づいて、０．０１重量％〜１重量％の残留総水分含有量
を有する、請求項１から１４のいずれか一項に記載の使用。
【請求項１６】
炭酸カルシウム含有材料が、
ｉ）  ０．２５μｍ〜７μｍの範囲の重量メジアン粒径ｄ５０値、及び／又は
ｉｉ）  ≦１２．５μｍのトップカット（ｄ９８）、及び／又は
ｉｉｉ）  ＩＳＯ  ９２７７：２０１０に従って、窒素及びＢＥＴ法で測定された、１〜６０ｍ２／ｇの比表面積（ＢＥＴ）、及び／又は
ｉｖ）  少なくとも１種の炭酸カルシウム含有材料の総乾燥重量に基づいて、０．０２重量％〜０．５重量％の残留総水分含有量
を有する、請求項１５に記載の使用。
【請求項１７】
炭酸カルシウム含有材料が、ポリマー成分の総重量に基づいて、０．１〜８５重量％の量でポリマー組成物中に存在する、請求項１から１６のいずれか一項に記載の使用。
【請求項１８】
炭酸カルシウム含有材料が、ポリマー成分の総重量に基づいて、３〜５０重量％の量でポリマー組成物中に存在する、請求項１７に記載の使用。
【請求項１９】
ポリマー組成物が、着色顔料、染料、ワックス、潤滑剤、酸化及び／又はＵＶ安定剤、酸化防止剤及びタルク等の他の充填剤等のさらなる添加剤を含む、請求項１から１８のいずれか一項に記載の使用。
【請求項２０】
ポリマー組成物の破断点における引張歪みは、少なくとも１種の一置換コハク酸無水物を含まない同じポリマー組成物と比較して、少なくとも４０％増加する、請求項１から１９のいずれか一項に記載の使用。
【請求項２１】
ポリマー組成物の破断点における引張歪みは、少なくとも１種の一置換コハク酸無水物を含まない同じポリマー組成物と比較して、少なくとも１００％増加する、請求項２０に記載の使用。
【請求項２２】
ＤＩＮ  ＥＮ  ＩＳＯ  １１３３−１：２０１１（手順Ａ、２．１６ｋｇ、２１０℃、顆粒）に従って測定された、ポリマー組成物のメルトフローレートが、少なくとも１種の一置換コハク酸無水物を含まない同じポリマー組成物と比較して、少なくとも１５％低下する、請求項１から２１のいずれか一項に記載の使用。
【請求項２３】
ＤＩＮ  ＥＮ  ＩＳＯ  １１３３−１：２０１１（手順Ａ、２．１６ｋｇ、２１０℃、顆粒）に従って測定された、ポリマー組成物のメルトフローレートが、少なくとも１種の一置換コハク酸無水物を含まない同じポリマー組成物と比較して、少なくとも２０％低下する、請求項２２に記載の使用。
【請求項２４】
加工中のポリマー分解を減少させる、及び／又はＤＩＮ  ＥＮ  ＩＳＯ  １１３３−１：２０１１（手順Ａ、２．１６ｋｇ、２１０℃、顆粒）に従って測定された、ポリマー成分としてポリ乳酸及び充填剤として少なくとも１種の炭酸カルシウム含有材料を含むポリマー組成物のメルトフローレートを少なくとも１種の一置換コハク酸無水物を用いずに同じ方法で処理した同じポリマー組成物と比較して、少なくとも１０％低下させる方法であって、該方法は
ａ）  ポリマー成分として少なくとも１種のポリ乳酸を提供すること、及び
ｂ）  充填剤として少なくとも１種の炭酸カルシウム含有材料を提供すること、及び
ｃ）  少なくとも一種の一置換コハク酸無水物を提供すること、
ｄ）  任意の順序でａ）、ｂ）及びｃ）の成分を接触させること、及び
ｅ）  工程ｄ）の接触成分を配合すること
を含む該方法。
【請求項２５】
接触工程ｄ）では、第一に、工程ｂ）の少なくとも１種の炭酸カルシウム含有材料を、混合下で、１つ以上の工程で、工程ｃ）の少なくとも１種の一置換コハク酸無水物無水物と、工程ｂ）の少なくとも１種の炭酸カルシウム含有材料の表面に少なくとも１種の一置換コハク酸無水物及び／又はその塩反応生成物を含む処理層が形成されるように接触させ、及び第２に、この表面処理された炭酸カルシウム含有材料を、混合下で、１つ以上の工程で、ポリ乳酸と接触させる、請求項２４に記載の方法。
【請求項２６】
衛生用品、医療用品及びヘルスケア製品、フィルター製品、ジオテキスタイル製品、農業及び園芸製品、衣料品、履物及び手荷物製品、家庭用及び工業用製品、包装製品、建設用製品等における、以下の工程：
ａ）  ポリマー成分として少なくとも１種のポリ乳酸を提供する工程、及び
ｂ）  充填剤として少なくとも１種の炭酸カルシウム含有材料を提供する工程、及び
ｃ）  少なくとも１種の一置換コハク酸無水物を提供する工程、
ｄ）  任意の順序でａ）、ｂ）及びｃ）の成分を接触させる工程、及び
ｅ）  工程ｄ）の接触成分を配合する工程
を含む方法によって得ることができるポリマー組成物の使用。
【請求項２７】
以下の工程：
ａ）  ポリマー成分として少なくとも１種のポリ乳酸を提供する工程、及び
ｂ）  充填剤として少なくとも１種の炭酸カルシウム含有材料を提供する工程、及び
ｃ）  少なくとも一種の一置換コハク酸無水物を提供する工程、
ｄ）  任意の順序でａ）、ｂ）及びｃ）の成分を接触させる工程、及び
ｅ）  工程ｄ）の接触成分を配合する工程
を含む方法によって得ることができるポリマー組成物を含む物品であって、衛生用品、医療用品及びヘルスケア製品、フィルター製品、ジオテキスタイル製品、農業及び園芸製品、衣料品、履物及び手荷物製品、家庭用及び工業用製品、包装製品、建設用製品等から選択される該物品。